【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】  以下の化学式(I)のナフトピラン化合物であって：
【化１】
2003502274.tif 000001
ここで：
・  Ｌは直接の結合または二価の残基：Ｏ、Ｓ、ＮＲ6（Ｒ6は１から６の炭素原子を含む線状または枝分れアルキル基を表す）、ＣＲ7Ｒ8、（ＣＲ7Ｒ8）2、Ｒ7Ｃ＝ＣＲ8（Ｒ7およびＲ8は、同じかまたは異なり、独立して、Ｈ、ＯＨ、１から６までの炭素原子を有する線状または枝分れアルキルまたはアルコキシ基を表す）または以下：
【化２】
2003502274.tif 000002
から選択される炭素環に対応し；
・  Ｒ1およびＲ2が独立して：
−  水素、
−  １から12までの炭素原子を含む線状または枝分れアルキル基、
−  ３から12までの炭素原子を含むシクロアルキル基、
−  基本構造において、それぞれ、６から24までの炭素原子または４から24までの炭素原子と、硫黄、酸素および窒素から選択される少なくとも１つのヘテロ原子を含むアリールまたはヘテロアリール基であって、該基本構造が必要に応じて：
＋  ハロゲン、
＋  ヒドロキシ基、
＋  １から12までの炭素原子を含む線状または枝分れアルキル基、
＋  １から12までの炭素原子を含む線状または枝分れアルコキシ基、
＋  少なくとも１つのハロゲン原子により置換された、それぞれ上述した（Ｃ1−Ｃ12）アルキルまたはアルコキシ基に対応するハロアルキルまたはハロアルコキシ基、
＋  ２から12までの炭素原子を含む線状または枝分れアルケニル基、
＋  −ＮＨ2基、
＋  Ｒが１から６までの炭素原子を含む線状または枝分れアルキル基である、−ＮＨＲ基、
＋  
【化３】
2003502274.tif 000003
基、ここで、Ｒ’およびＲ”は、同じかまたは異なり、独立して、１から６までの炭素原子を含む線状または枝分れアルキル基を表し、またはそれらが結合している窒素原子とともに、酸素、硫黄および窒素から選択される少なくとも１つの他のヘテロ原子を含み得る５または７員環を表し、該窒素が、必要に応じて、１から６までの炭素原子を含む線状または枝分れアルキル基であるＲ”’により置換されている、
＋  メタクリロイル基またはアクリロイル基、
から選択される少なくとも１つの置換基により置換されており、
−  アラルキルまたはヘテロアラルキル基、ここで、そのアルキル基が１から４までの炭素原子を含む線状または枝分れのものであり、そのアリールおよびヘテロアリール基が上述した定義を有している、
を表し、
または、
前記２つの置換基Ｒ1およびＲ2が互いにアダマンチル、ノルボルニル、フルオレニリデン、ジ（Ｃ1−Ｃ6）アルキルアントラセニリデンまたはスピロ（Ｃ5−Ｃ6）シクロアルキルアントラセニリデン基を形成し、該基が必要に応じて、Ｒ1、Ｒ2：アリールまたはヘテロアリール基に関して上述した置換基の内の少なくとも１つにより置換されている；
・  Ｒ3およびＲ4が、同じかまた異なり、独立して：
−  水素、
−  ハロゲン、
−  １から12までの炭素原子を含む線状または枝分れアルキル基、
−  ３から12までの炭素原子を含むシクロアルキル基、
−  １から12までの炭素原子を含む線状または枝分れアルコキシ基、
−  少なくとも１つのハロゲン原子により置換された、それぞれ、上述したアルキル、シクロアルキル、アルコキシ基に対応するハロアルキル、ハロシクロアルキル、またはハロアルコキシ基、
−  Ｒ1、Ｒ2について前出のように与えられたものと同一の定義を有するアリールまたはヘテロアリール基、
−  アラルキルまたはヘテロアラルキル基、ここで、そのアルキル基が１から４までの炭素原子を含む線状または枝分れのものであり、そのアリールおよびヘテロアリール基がＲ1、Ｒ2について前出のように与えられた定義を有している、
−  アミンまたはアミド基：−ＮＨ2、−ＮＨＲ、−ＣＯＮＨ2、−ＣＯＮＨＲ、
【化４】
2003502274.tif 000004
ここで、Ｒ、Ｒ’、Ｒ”が、Ｒ1、Ｒ2：アリールまたはヘテロアリール基のアミン置換基について前出のように与えられものと同一の定義をそれぞれ有し、
−  −ＯＣＯＲ6または−ＣＯＯＲ6、ここで、Ｒ6が、１から６までの炭素原子を含む直鎖または枝分れアルキル基、または３から６までの炭素原子を含むシクロアルキル基、またはＲ1、Ｒ2：アリールまたはヘテロアリール基に関して上述した置換基の内の少なくとも１つにより必要に応じて置換されているフェニル基である、
を表し；
・  ｍおよびｎが独立して、それぞれ、０から４までの整数および０から３までの整数であり；
・  Ｒ5が：
−  水素、
−  １から12までの炭素原子を含む線状または枝分れアルキル基、
−  ３から12までの炭素原子を含むシクロアルキル基、
−  ２から12までの炭素原子を含む線状または枝分れアルケニル基、
−  必要に応じてＲ1、Ｒ2：アリールまたはヘテロアリールに関して上述した置換基の内の少なくとも１つにより置換されている、フェニルまたはベンジル基、
−  −ＣＯＲ7、−ＣＯＯＲ7またはＣＯＮＨＲ7基、ここで、Ｒ7が、１から６までの炭素原子を含む線状または枝分れアルキル基、または３から６までの炭素原子を含むシクロアルキル基、またはこれらの基が独立してアリールまたはヘテロアリール基に対応する場合には、化学式(I)においてＲ1、Ｒ2基の定義で上述した置換基の内の少なくとも１つにより置換されたフェニルまたはベンジル基を表す；
ことを特徴とするナフトピラン。
【請求項２】  化学式(I1)を有し：
【化５】
2003502274.tif 000005
ここで、
・  Ｌが直接の結合、酸素、ラジカル−ＣＨ2−
【化６】
2003502274.tif 000006
または以下の炭素環：
【化７】
2003502274.tif 000007
を表し；
・  Ｒ1および／またはＲ2が、独立して、必要に応じて置換されたアリールまたはヘテロアリール基を表し、その基本構造が、フェニル、ナフチル、ビフェニル、ピリジル、フリル、ベンゾフリル、ジベンゾフリル、Ｎ−（Ｃ1−Ｃ6）アルキルカルバゾール、チエニル、ベンゾチエニル、ジベンゾチエニル、ユロリジニル基からなる群より選択され；
・  Ｒ5が、水素、１から６までの炭素原子を含む線状または枝分れアルキル基、必要に応じて置換されたフェニルまたはベンジル基、−ＣＯＲ7、−ＣＯＯＲ7、またはＣＯＮＨＲ7基を表し、Ｒ7が、１から６までの炭素原子を含む線状または枝分れアルキル基、または必要に応じて置換されたフェニルまたはベンジル基を表す；
ことを特徴とする請求項１記載のナフトピラン。
【請求項３】  Ｌが直接結合に対応しないことを特徴とする請求項１記載のナフトピラン。
【請求項４】  請求項１から３いずれか１項記載の化学式(I)のナフトピランを調製する方法であって、
−  以下の化学式(II)の少なくとも１つの化合物：
【化８】
2003502274.tif 000008
ここで、Ｒ3、Ｒ4、Ｒ5、Ｌ、ｍおよびｎは化学式(I)に関して上述のごとく定義されたものである；
の
−  以下の化学式(III)のプロパルギルアルコールの少なくとも１つの誘導体：
【化９】
2003502274.tif 000009
ここで、Ｒ1およびＲ2は化学式(I)に関して上述のごとく定義されたものである；
−  または以下の化学式(III')のアルデヒド誘導体：
【化１０】
2003502274.tif 000010
ここで、Ｒ1およびＲ2は化学式(I)に関して上述のごとく定義されたものである；
との縮合を行うことから実質的になることを特徴とする方法。
【請求項５】  前記出発化合物(II)が、以下の必須工程：
１−化学式：
【化１１】
2003502274.tif 000011
の前駆体（Ｉｐ1）の、中間体生成物（Ｉｐ2）：
【化１２】
2003502274.tif 000012
を得るように、Ｒa＝アルキル、好ましくはエチルである化学式ＮＣ−ＣＨ2−ＣＯＯＲaの少なくとも１つのシアン酢酸アルキルとの反応；
２−中間体（Ｉｐ3）：
【化１３】
2003502274.tif 000013
に導かれる（Ｉｐ2）の熱環化；
３−中間体(II)：
【化１４】
2003502274.tif 000014
を生成するための（Ｉｐ3）の高温脱シアン化；
を行うことにより製造されることを特徴とする請求項４記載の方法。
【請求項６】  請求項１または２記載のナフトピランを少なくとも１つ含む少なくとも１つのモノマーを重合および／または架橋させることにより得られる（コ）ポリマーおよび／または網状体。
【請求項７】  フォトクロミック化合物であって、別の種類の少なくとも１つの他のフォトクロミック化合物および／または少なくとも１つの非フォトクロミック着色剤と共に、請求項１から３いずれか１項記載の化合物、または請求項１から３いずれか１項記載の少なくとも２つの化合物の混合物、または請求項１から３いずれか１項記載の少なくとも１つの化合物の混合物からなることを特徴とするフォトクロミック化合物。
【請求項８】  フォトクロミック組成物であって、
−  請求項１から３いずれか１項記載の少なくとも１つの化合物、および／またはその構造中に請求項１または２記載の少なくとも１つの化合物(I)を含有する少なくとも１つの線状または架橋（コ）ポリマー；
−  および、必要に応じて、別の種類の少なくとも１つの他のフォトクロミック化合物および／または少なくとも１つの非フォトクロミック着色剤および／または少なくとも１つの安定剤、
を含むことを特徴とするフォトクロミック組成物。
【請求項９】  （コ）ポリマーマトリクスであって、
−  請求項１から３いずれか１項記載の少なくとも１つの化合物、
−  および／または請求項６記載の少なくとも１つの（コ）ポリマーおよび／または網状体、
−  および／または請求項８記載の少なくとも１つの組成物、
を含むことを特徴とする（コ）ポリマーマトリクス。
【請求項１０】  前記（コ）ポリマーが、以下のリスト：
−  必要に応じてハロゲン化された、または少なくとも１つのエーテルおよび／またはエステルおよび／またはカーボネートおよび／またはカルバメートおよび／またはチオカルバメートおよび／または尿素および／またはアミド基を含む、アルキル、シクロアルキル、（ポリまたはオリゴ）エチレングリコール、アリールまたはアリールアルキルモノ，ジ，トリまたはテトラアクリレートまたはモノ，ジ，トリまたはテトラメタクリレート、
−  ポリスチレン、ポリエーテル、ポリエステル、ポリカーボネート、ポリカルバメート、ポリエポキシ、ポリウレア、ポリウレタン、ポリチオウレタン、ポリシロキサン、ポリアクリロニトリル、ポリアミド、脂肪族または芳香族ポリエステル、ビニルポリマー、酢酸セルロース、三酢酸セルロース、酢酸プロピオン酸セルロースまたはプリビニルブチラール、
−  以下の化学式を有する二官能性モノマー：
【化１５】
2003502274.tif 000015
ここで：
Δ  Ｒ10、Ｒ’10、Ｒ11およびＲ’11は、同じかまたは異なり、独立して水素またはメチル基を表し；
Δ  ｍ1およびｎ1は、独立して、０から４までの整数であり；
Δ  ＸおよびＸ’は、同じかまたは異なり、ハロゲンであり；
Δ  ｐ1およびｑ1は、独立して、０から４までの整数である；
−  前に列記されたポリマーの前駆体モノマーから選択される、少なくとも２種類の共重合性モノマーのコポリマー、
から選択されることを特徴とする請求項９記載のマトリクス。
【請求項１１】  眼用またはソーラー製品であって、
−  請求項１から３いずれか１項記載の少なくとも１つの化合物、
−  および／または請求項８記載の少なくとも１つの組成物、
−  および／または請求項６記載の少なくとも１つの（コ）ポリマーおよび／または網状体、
−  および／または請求項９または１０記載の少なくとも１つのマトリクス、
を含むことを特徴とする製品。
【請求項１２】  レンズ、窓ガラスまたは光学素子により構成されることを特徴とする請求項１１記載の製品。